【事件の表示】
　特願２００３−４０１７７４「電子機器及びバッテリーパック」拒絶査定不服審判事件〔平成１７年　６月２３日出願公開、特開２００５−１６５５４５〕について、次のとおり審決する。
【結　論】
　本件審判の請求は、成り立たない。
【理　由】
第１　手続の経緯 
　本願は、平成１５年１２月１日の出願であって、平成１９年１１月５日付けで拒絶理由通知がなされ、平成２０年１月１５日付けで手続補正がなされると共に意見書が提出されたが、同年４月２３日付けで拒絶査定がなされ、これに対して同年５月３０日に拒絶査定に対する審判請求がなされ、同年６月３０日に手続補正書（方式）と共に、手続補正書が提出されたものである。 
　
　
第２　本願発明について
１．本願発明
　本願の請求項３に係る発明（以下、「本願発明」という。）は、平成２０年６月３０日に提出された手続補正書における特許請求の範囲の請求項３に記載された以下のとおりのものである。
　
「【請求項３】
機器本体部に装着されるバッテリーパックから供給される電力によって駆動する電子機器であって、
バッテリーパックに、その種類の検出を可能とする被検出部を設け、
機器本体部に、被検出部を読み取ってバッテリーパックの種類を検出する検出部を設け、
機器本体部に、検出したバッテリーパックが保有する電力情報に基づいて機器本体部の動作周波数の制御を行う制御手段を設けた
電子機器。」
　
２．引用例
　原査定の拒絶の理由に引用された特開２００３−２５９１９１号公報（以下、「引用例１」という。）には、図面とともに以下の記載がある。なお、下線は当審で付与したものである。
　
（ａ）「【請求項１】
電力供給装置により駆動する電子装置において
前記電力供給装置から供給される、電池の種別を識別する信号を取得する取得手段と、
前記取得手段により取得された前記信号に基づいて、前記電池の種別を判定する判定手段と、
前記判定手段による判定結果に基づいて、前記電子装置の所定の動作を制御する制御手段とを備えることを特徴とする電子装置。」（請求項１）
　
（ｂ）「【００１９】
撮像装置１は、例えば、スチルカメラ、デジタルカメラ、またはカムコーダなどで構成される撮像機器であって、装着されているバッテリ２の電池の種別に応じて、ズーム機構４５（図４）のズームスピード、表示画面６２（図７）の明度、またはストロボ機構７２（図１０）のストロボ充電時間などを変化させる。
【００２０】
バッテリ２は、同図に示されるように、撮像装置１の図示せぬ装着部に装着されており、撮像装置１に電力を供給するものである。
【００２１】図２は、バッテリ２の構成例を示す図である。図２Ａは、バッテリ２の外観斜視図を示しており、図２Ｂは、図２Ａの矢印Ｐ方向から見た側面断面図を示している。
【００２２】バッテリ２は、電池２１−１，２１−２を収納するためのバッテリボックス（電池収納機構）１１、および電池の種類を判別するための電池種別判定機構１２で構成されている。電池種別判定機構１２はさらに、可動しきい１３、ばね１４、および電池検出スイッチ１５で構成されている。
【００２３】可動しきい１３は、ばね１４で支えられており、図２Ｂ中、下方向に可動可能になされている。電池検出スイッチ１５は、ばね１４を介して可動しきい１３に接続されている。通常、電池検出スイッチ１５は、オフの状態であるが、可動しきい１３が下方向に可動されると、ばね１４が伸縮し、電池検出スイッチ１５を押圧しようとする力（付勢力）が働く。このように、電池検出スイッチ１５は、ばね１４の付勢力を利用して、スイッチがオンされる。電池検出スイッチ１５は、スイッチのオン／オフ（ON/OFF）信号を撮像装置１に供給する。
【００２４】単３型電池２１−１，２１−２は、アルカリ電池、ニッケル一次電池、またはニッケル二次電池などで構成されており、図２Ａの点線矢印に示されるように、バッテリボックス１１に収納される。この場合、単３型電池２１−１，２１−２は、可動しきい１３を挟んでバッテリボックス１１に収納されるため、可動しきい１３は、図２Ｂ中の下方向に可動されることはない。すなわち、単３型電池２１−１，２１−２がバッテリボックス１１に収納された場合には、電池検出スイッチ１５はオフの状態のままである。
【００２５】図３は、バッテリ２の他の構成例を示す図である。図３Ａは、バッテリ２の外観斜視図を示しており、図３Ｂは、図３Ａの矢印Ｑ方向から見た側面断面図を示している。なお、図２と対応する部分には、同一の符号を付してあり、その説明は適宜省略する。
【００２６】ボックス型電池３１は、単３型電池の２本分の幅を有するリチウム一次電池、またはリチウム二次電池などで構成されており、図３Ａの点線矢印に示されるように、バッテリボックス１１に収納される。この場合、
ボックス型電池３１がバッテリボックス１１に収納されることで、可動しきい１３が図３Ｂ中の下方向に可動される。すなわち、ボックス型電池３１がバッテリボックス１１に収納された場合には、電池検出スイッチ１５はオンの状態に遷移する。
【００２７】図４は、図１に示した撮像装置１とバッテリ２の内部の構成例を示す図である。
【００２８】
CPU４１は、バッテリ２の電池種別判定機構１２の電池検出スイッチ１５から供給されるオンまたはオフの検出信号から、装着されている電池の種類を判別する。CPU４１は、判別結果に基づいて、メモリ４２を参照し、対応するズームスピード設定値（図５）を読み出し、ズーム制御部４３に供給する。
【００２９】メモリ４２には、電池種別に応じたズーム機構４５のズームスピード設定値のテーブルが予め格納されている。またメモリ４２は、CPU４１が使用するプログラムや演算用のパラメータのうちの基本的に固定のデータを格納したり、あるいは、プログラムの実行において適宜変化するパラメータなどを格納するようにしてもよい。」(段落【００１９】〜【００２９】)
　
（ｃ）「【００５１】図８の説明に戻る。
CPU４１は、バッテリ２の電池種別判定機構１２の電池検出スイッチ１５から供給されるオンまたはオフの検出信号から、装着されている電池の種類を判別する。CPU４１は、判別結果に基づいて、メモリ４２を参照し、対応する明度設定値（図８）を読み出し、画面明度制御部６１に供給する。
【００５２】
画面明度制御部６１は、CPU４１から供給された明度設定値に基づいて、表示画面６２の明度を変更するように制御する。
【００５３】表示画面６２は、液晶表示装置などの薄型の表示装置で構成され、CPU４１からデータを受信し、受信したデータに対応する画像または文字などを表示する。
【００５４】ところで、撮像装置１において、表示画面６２をより明るく表示させるためには、より大きい電力が必要になる。すなわち、電池性能が劣る場合に、表示画面６２を明るく表示させようとすると電池の寿命が悪化する。
【００５５】図３に示したボックス型電池３１は、上述したように、図２に示した単３型電池２１−１，２１−２よりも電池容量が大きく、バッテリインピーダンスが小さいため、単３型電池使用時よりも、より明るく表示画面６２を表示させたとしても、電池の寿命に与える影響が少ない。
【００５６】そこで、図７に示した撮像装置１では、電池検出スイッチ１５から供給される検出信号がオン信号の場合（ボックス型電池３１の使用時）、より明るく表示画面６２が表示され、検出信号がオフ信号の場合（単３型電池２１−１，２１−２の使用時）、通常の明るさで（またはボックス型電池３１の使用時の明るさより暗く）表示画面６２が表示されるようにする。」（段落【００５１】〜【００５６】）
　
（ｄ）「【０１１４】
またバッテリ２のバッテリボックス１１に収納されている電池の種類、電池電圧、および電池の周囲温度に応じて、より最適な充電時間で、ストロボ機構７２のストロボコンデンサを充電するだけでなく、例えば、ズーム機構４５（図４）をより最適なズームスピードでズームしたり、あるいは、表示画面６２（図１０）をより最適な明度で表示することもできる。
【０１１５】以上においては、電池種別に応じてズーム機構４５のズームスピードを制御する場合の構成例を図４に示し、電池種別に応じて表示画面６２の明度を制御する場合の構成例を図７に示し、電池種別に応じてストロボ機構７２のストロボ充電時間を制御する場合の構成例を図１０に示した。さらに、電池種別および電池電圧に応じてストロボ機構７２のストロボ充電時間を制御する場合の構成例を図１３に示し、
電池種別、電池電圧、および電池の周囲温度に応じてストロボ機構７２のストロボ充電時間を制御する場合の構成例を図１６に示した。これらは、説明をわかり易くするために個々に図示したものであり、当然、任意の組み合わせで、ズームスピード、画面の明度、およびストロボ充電時間を制御することができる。
【０１１６】その場合の構成例を図１９に示す。メモリ４２には、図５に示した電池種別に応じたズームスピード設定値のテーブル、図８に示した電池種別に応じた明度設定値のテーブル、図１１に示した電池種別に応じたストロボ充電時間設定値のテーブル、図１４に示した電池種別および電池電圧情報に応じたストロボ充電時間設定値のテーブル、および図１７に示した電池種別、電池電圧情報、および温度情報に応じたストロボ充電時間設定値のテーブルなどが予め格納されている。
【０１１７】CPU４１は、バッテリ２の電池種別判定機構１２の電池検出スイッチ１５から供給されるオンまたはオフの検出信号から、バッテリボックス１１に収納されている電池の種類を判別し、電池電圧検出部８１から供給される電池電圧情報から、検出電圧Vbattが所定の閾値Vthより大きいか否かを判別し、さらに温度検出部９１から供給される温度情報から、検出温度Ｔが所定の閾値Tthより大きいか否かを判別する。
【０１１８】CPU４１は、それらの判別結果に基づいて、メモリ４２を参照し、対応するズームスピード設定値（図５）を読み出してズーム制御部４３に供給し、ズーム機構４５のズームスピードを制御させるようにしたり、明度設定値（図８）を読み出して画面明度制御部６１に供給し、表示画面６２の明度を制御させるようにしたり、ストロボ充電時間設定値（図１７）を読み出してストロボ充電制御部７１に供給し、ストロボ機構７２のストロボ充電時間を制御させるようにする。
【０１１９】またCPU４１は、ズーム機構４５のズームスピード、表示画面６２の明度、およびストロボ機構７２のストロボ充電時間のうち、いずれか１つの動作条件のみを制御するようにしたり、いずれか２つの動作条件を制御するようにしたり、あるいは、３つの動作条件全てを制御することができる。その場合、電池種別、電池電圧情報、および温度情報のうち、いずれか１つのパラメータに応じて制御するか、いずれか２つのパラメータに応じて制御するか、あるいは、３つのパラメータ全てに応じて制御するかを自由に切り替えることも可能である。
【０１２０】従って、本発明の撮像装置１では、バッテリ２のバッテリボックス１１に収納された電池の種類、電池電圧の残り具合、または電池の周囲温度の組み合わせに応じて、ズーム機構４５のズームスピード、表示画面６２の明度、またはストロボ機構７２のストロボ充電時間のうち、いずれか１つ、いずれか２つ、あるいは、３つ全ての動作条件を自由に制御することができ、電池の特性を充分に引き出すことが可能になる。
【０１２１】その場合、ユーザが、図示せぬ入力部を操作して、制御したい動作条件を自由に切り替えられるようにしてもよい。
【０１２２】以上においては、本発明を撮像装置１に適用した例について説明したが、これに限らず、バッテリ２により駆動可能な他の電子機器に広く適用することが可能である。」（段落【０１１４】〜【０１２２】）　
　
　よって、引用例１には、以下の発明（以下、「引用発明１」という。）が開示されていると認められる。
　
「撮像装置１の装着部に装着されるバッテリ２により駆動し、バッテリ２のバッテリボックス１１に収納されている電池の種別を検出し、これに応じてズームスピード、画面の明度、及びストロボ充電時間を制御する、撮像装置１。」　
　
　また、原査定の拒絶の理由に引用された特開平３−２４９５８１号公報（以下、「引用例２」という。）には、図面とともに以下の記載がある。
　
（ｅ）「２．特許請求の範囲
　（１）Ｎｉ−Ｃｄ電池等の充電式電池パックと該電池パックを使用する電気機器との間に介在し、前記電池パックの通電電流を検出する電流検出部と、該電流検出部の出力により電池の容量変化量を演算する演算部と、該演算部により演算された容量変化量を表示する表示部とよりなり、前記電気機器側の電力使用に応じて前記電池パックの容量変化量を演算表示する容量表示装置であって、前記電池パック装着時、前記演算部が電池パックの接続されたことを検出して前記表示部がそのことを表示してなる容量表示装置。」（請求項１）
　
（ｆ）「（ホ）作用
　本発明容量表示装置に電池パックを装着すると、該電池パックが正確に取り付けられたことを演算部が検出すると共に、表示部がそのことを表示するので、使用者はこれを認識することができ、さらに機器等に接続して使用する場合、正確に容量表示が行われることが確認できる。
　また、装着する電池の種類によって切り替わる電池識別スイッチを設け、該スイッチの開閉によって電池パックが装着されたことを表示する表示部の表示内容を切り替えるので、使用者は装着時にこのことを即座に認識することができ、誤使用防止する。」（第２ページ右上欄第４行〜第１６行）
　
（ｇ）「一方、１１及び１２はそれぞれ異なる容量ａ及びｂの電池パックであって、それぞれ裏面に電気機器あるいは前記容量表示装置１に係合固定される係合孔１．３と、＋／一端子１４が形成されている。また電池パック１２には電池識別凹所１５が設けられており、容量表示装置ｌに装着時、前記電池識別スイッチ７に対向するようになっている。」（第２ページ左下欄第１４行〜第２０行）
　
（ｈ）「また、この時電池パック１２の装置装着面に前記電池識別凹所１５が設けられているので、前記電池識別スイッチ７が前記凹所１５に挿入されてスイッチ７は閉じないようになっている（電池種類判定）。」（第３ページ右上欄第６行〜第１０行）
　
　よって、引用例２には、以下の発明（以下、「引用発明２」という。）が開示されていると認められる。
「使用する電気機器との間に介在し、電池パック１２に電池識別凹所１５を設け、電池パックが装着される装置に電池識別スイッチ７を設け、両者が対向するように形成され、電池識別スイッチ７が電池識別凹所１５に挿入されてスイッチ７が閉じないようにすることで電池の種類を識別し、前記電気機器側の電力使用によって電池パック１２の容量変化量を演算表示する装置。」
　
３．対比
　本願発明と引用発明１とを対比する。
　
　引用発明１の「撮像装置１」は、本願発明の「電子機器」に相当する。
　
　引用発明１の「バッテリ２」は、撮像装置１のバッテリ２の装着部は、撮像装置の本体部にあることは明らかであるから、本願発明の「バッテリーパック」と機器本体部に装着されるバッテリーである点で共通する。そして、引用発明１は、電子機器がバッテリ２のバッテリボックス１１に収納されている電池の種別を検出しているから、本願発明とは、機器本体部にバッテリーの種類を検出する検出部を設ける点で共通する。
　
　引用発明１の「バッテリボックス１１に収納されている電池の種別」と、本願発明の「バッテリーパックが保有する電力情報」は、バッテリーの電力情報である点で共通する。そして、引用発明１の「ズームスピード、画面の明度、及びストロボ充電時間の制御」は、機器の動作の制御を意味するから、引用発明１と本願発明とは、「機器に、検出したバッテリーパックが保有する電力情報に基づいて機器の動作制御をおこなう制御手段を設けた」点で共通する。
　
　そうすると、両者は以下の点で一致し、相違する。
　
（一致点）
　機器本体部に装着されるバッテリーから供給される電力によって駆動する電子機器であって、
　機器本体部に、バッテリーの種類を検出する検出部を設け、
　検出したバッテリーが保有する電力情報に基づいて機器の動作制御をおこなう制御手段を設けた電子機器、である点。
　
（相違点１）
　本願発明が、機器に電力を供給するバッテリーがバッテリーパックからなるのに対し、
　引用発明１は、バッテリーが電池を収納したバッテリーボックスである点。
　
（相違点２）
　本願発明が、バッテリーパックに、その種類の検出を可能とする被検出部を設け、機器本体部に、被検出部を読み取ってバッテリーパックの種類を検出する検出部を設けるのに対し、
　引用発明１は、バッテリーパックに被検出部を設け、被検出部を読み取ってバッテリーパックの種類の検出をおこなうものではない点。
　
（相違点３）
　本願発明が、バッテリーが保有する電力情報に基づいて、機器本体部の動作周波数の制御をおこなうのに対し、
　引用発明１は、バッテリーが保有する電力情報に基づいて、機器本体部の動作周波数の制御をおこなうものではない点。
　
４．当審の判断
　上記相違点について検討する。
　
（相違点１及び２について）
　引用発明２は、上記したとおり、使用する電気機器との間に介在し、電池パック１２（本願発明の「バッテリーパック」に相当する。）に電池識別凹所１５を設け、電池パックが装着される装置に電池識別スイッチ７を設け、両者が対向するように形成され、電池識別スイッチ７が電池識別凹所１５に挿入されてスイッチ７が閉じないようにすることで電池の種類を識別しており、引用発明１に引用発明２を適用して、機器に電力を供給するバッテリーをバッテリーパックとし、該バッテリーパックに、その種類の検出を可能とする被検出部を設け、機器本体部に、被検出部を読み取ってバッテリーパックの種類を検出する検出部を設けるように構成することで、前記相違点１及び２に係る本願発明の構成とすることは当業者が容易になし得ることである。
　
（相違点３について）
　バッテリから取得した電力情報により、機器本体の動作周波数の制御をおこなうことは、本願出願前に周知の技術（＜１＞特開２００２−５５７３０号公報段落【０００６】、【００３７】及び【００５３】、＜２＞特開２００３−３０８０８２号公報要約及び段落【００８７】）である。よって、引用発明１において、バッテリから取得した電力情報により、機器本体の動作周波数の制御をおこなうように構成することで、上記相違点３に係る本願発明の構成とすることは当業者が容易になし得ることである。
　
　そして、本願発明が奏する効果は、当業者が引用発明１、引用発明２及び周知技術から予想できる範囲内のものである。
　
５．むすび
　以上のとおり、本願発明は、引用発明１、引用発明２及び周知技術に基づいて、当業者が容易に発明をすることができたものであるから、特許法第２９条第２項の規定により特許を受けることができない。
　よって、結論のとおり審決する。